(57)【要約】【課題】簡易・正確にタイルと敷設材を接着できなかったり、高価で施工性に難点があった。【解決手段】板状の基板部５の隣接する２辺の縁部に薄板状の立壁部６、6a…を設けると共に、同一２辺で基板部５に水平方向に連結凹凸部７、８を設けた敷設材３、3a…を、タイル２の四隅下面に接着固定すると共に、敷設材３、3a…の立壁部６、6a…をタイル２の側面に当接してデッキタイル１を製作することによって、安価で簡易形状で小片の敷設材３、3a…を立壁部６、6a…で位置決めしながら接着する。【選択図】図１
2007169994.tif 000002
【特許請求の範囲】
【請求項１】
板状の基板部の隣接する２辺の縁部に薄板状の立壁部を設けると共に、同一２辺で基板部に水平方向に敷設時に相互係合する連結凹部および連結凸部を夫々設けたことを特徴とするデッキタイルに使用する敷設材。
【請求項２】
敷設材をゴム製と成したことを特徴とする請求項１記載のデッキタイルに使用する敷設材。
【請求項３】
請求項１又は２記載のデッキタイルに使用する敷設材をタイルの四隅下面に接着固定したデッキタイルであって、
敷設材の立壁部をタイルの側面に当接したことを特徴とするデッキタイル。
【請求項４】
複数の請求項３記載のデッキタイルを床面に連結敷設するデッキタイルの連結施工方法であって、
敷設済のデッキタイルの敷設材の連結凹部に、次に敷設するデッキタイルの敷設材の連結凸部を略水平方向から差し込みながら床面に接地させて、敷設済の連結凹部に次敷設の連結凸部を係合し、敷設済のデッキタイルに次敷設のデッキタイルを並べて敷設する様にしたことを特徴とするデッキタイルの連結施工方法。
【請求項５】
複数の請求項３記載のデッキタイルを床面に連結敷設した複数のデッキタイルによる床構造であって、
床面上にデッキタイルの敷設材を接地し、隣接するデッキタイルの敷設材の連結凹凸部を水平方向で係合したことを特徴とする複数のデッキタイルによる床構造。
【発明の詳細な説明】
【技術分野】
【０００１】
本発明は、バルコニー、ベランダ、玄関回りの床面等にタイルを敷き並べるデッキタイル、デッキタイルに使用する敷設材、デッキタイルの連結施工方法、および複数のデッキタイルによる床構造に関する。
【背景技術】
【０００２】
従来、床面等にタイルを敷設する敷設材としては、大判タイル１枚または小判タイル９枚を表面に接着固定する合成樹脂製の基枠であって、基枠の２辺から外側に孔部を有する多数の凹型連結部を設けると共に、他２辺から下側に円柱突起状の多数の凸型連結部を設け、凹凸型連結部を嵌合して複数の基枠を連結可能と成し、更に、基枠を９分割可能と成すと共に、所要箇所下側に床面に接地する多数の円柱状突起部を設けたタイル敷設用基枠が知られている（例えば、特許文献１参照）。
【０００３】
このタイル敷設用基枠は、基枠の全表面にタイルを接着するため、特に大判タイルでは正確な位置に、或いは、簡易に接着できず、施工時の碁盤目状の整然とした見栄えに悪影響を及ぼしたり、小判タイルへの適用時に切断使用するため切屑が発生していた。
又、この基枠は合成樹脂製であるため、床面が部分的に不陸（凹凸）の場合、ガタツキが発生し易かったり、タイル裏面に凹凸を有した時に接着性に問題があり、更に、凹凸型連結部や円柱状突起部が多数であったり、９分割可能とするために、複雑形状で部材が多く高価となり、また連結時は凹凸型連結部の嵌合式で多少の力作業を必要としていた。
【０００４】
【特許文献１】意匠登録第１１９７２２９号公報
【発明の開示】
【発明が解決しようとする課題】
【０００５】
解決しようとする問題点は、接着状態によっては綺麗に施工できなかったり、高価で無駄も発生しがちであると共に、施工性にも難点があった点である。
【課題を解決するための手段】
【０００６】
本発明は、上記従来技術に基づく、簡易・正確にタイルと敷設材を接着できなかったり、高価で施工性に難点があった課題に鑑み、板状の基板部の隣接する２辺の縁部に薄板状の立壁部を設けると共に、同一２辺で基板部に水平方向に連結凹凸部を設けた敷設材を、タイルの四隅下面に接着固定すると共に、敷設材の立壁部をタイルの側面に当接してデッキタイルを製作することによって、安価で簡易形状で小片の敷設材を立壁部で位置決めしながら接着する様にして、上記課題を解決する。
【発明の効果】
【０００７】
要するに本発明は、敷設材をタイルの四隅下面に接着固定したので、単純に接着するだけで、如何なる大きさのタイルにも適用することが出来、各種大きさのタイルの併用で敷設箇所の形状や端部の半端スペースなどに簡単に適応出来たり、各種パターンを構築することが出来、更に敷設材は小さく簡易形状であるため接着容易であったり、安価とすることが出来る。
【０００８】
又、板状の基板部の隣接する２辺の縁部に薄板状の立壁部を設けたので、２辺の立壁部の内面とタイルの側面を当接させて位置決めすることにより、タイルの四隅部の正確な位置に敷設材を接着することが出来、隣接するデッキタイルの敷設材同志の係合関係を堅固とすることが出来、また立壁部を有することにより、施工時などにおいて、タイル同志の当接、衝突による損傷を防止することが出来、更に、一定幅で均一な目地を容易に形成することが出来る。
又、立壁部と同一２辺で基板部に水平方向に敷設時に相互係合する連結凹部および連結凸部を夫々設けたので、４個の敷設材の係合でデッキタイルの位置ズレを防止することが出来たり、水平方向の差し込み、落とし込みで床面に敷設して作業の容易化を図ることが出来る。
【０００９】
敷設材はゴム製としたので、床面に敷設する簡単な施工だけで、床面への接地製が高くて滑り難く、位置ズレや異音発生を防止することが出来たり、弾力性を有するため、床面に部分的な多少の不陸があっても、タイル裏面に凹凸があっても、不陸や凹凸に追従してデッキタイルのガタツキ防止機能を発揮することが出来、更に、クッション性により乗った際の足への負担を軽減することが出来る等その実用的効果甚だ大である。
【発明を実施するための最良の形態】
【００１０】
以下、本発明の一実施形態を図面に基づいて説明する。
本発明に係るデッキタイル１、1a…はバルコニー、ベランダ、玄関回り、廊下その他箇所の床面ＦＬ等に複数（多数）のものを碁盤目状等に整然と敷き並べるものであって、図１、２に示す様に、個々のデッキタイル１は、タイル２の四隅下面に好ましくはゴム製（合成ゴム製）の敷設材３、3a…を接着剤で固定して成っている。
タイル２が特に大型の場合には、ゴム製で板状（後述する敷設材３、3a…の基板部５と略同一厚さ）の補助敷設材（不陸対応材）４、4a…をタイル２の裏面所要箇所に接着することが好ましい。この構成により、タイル２の中央部等と床面ＦＬの間隙空間に補助敷設材４、4a…が配置され、タイル２の中央部等の荷重を支持し、タイル２の割れを防止して、安定的な床構造としている。
尚、図面において、図１、２ではタイル２等を実線で表示したが、複数のデッキタイル１、1a…の施設例を示す図４、７では、敷設材３、3a…の配置例、係合例を明瞭化するために、デッキタイル１、1a…およびタイル２を一点鎖線で、敷設材３、3a…を実線で夫々表示している。
【００１１】
図３に示す様に、敷設材３、3a…は、略矩形状の適宜厚さの基板部５の隣接する２辺（タイル２の四隅への接着時に外側となる２辺）に、立壁部６、6a…と敷設時に相互係合する連結凹凸部７、８を夫々設けて、構成している。
尚、タイル２の四隅に接着する敷設材３、3a…は４個共に同一形状と成し、立壁部６、6a…と連結凹凸部７、８は隣接する２辺に設けているために、デッキタイル１の製作時には、図１、２に示す様に、連結凹凸部７、８の突出方向等は９０度ずつ相違し、４辺から１個ずつの連結凸部８が突出すると共に、４辺の下方に１個ずつの連結凹部７が凹設状態となっている。
【００１２】
敷設材３、3a…の詳細としては、図３に示す様に、基板部５の隣接する２辺の縁部に薄板状の立壁部６、6a…を一体形成し、図５（ｂ）に示す様に、立壁部６、6a…の高さをタイル２の厚さより低く（図示のものでは約１／３の高さに）形成している。
【００１３】
又、図３に示す様に、敷設材３、3a…の連結凹部７および連結凸部８は、立壁部６、6a…を設けた２辺と同一の隣接２辺で基板部５の水平方向に凹設および一体凸設して夫々形成すると共に、連結凸部８を若干小さく連結凹凸部７、８を略同一の台形形状として、敷設状態では水平方向で係合・当接状態（後述する様に、敷設施工時は水平および上下方向で係合）と成している。
尚、連結凹部７を凹設した１辺で、連結凹部７の上方における立壁部6a、6bの中央部を切り欠いて分断しているが、立壁部6a、6bを１辺全長に連続形成して連結凹部７の一部上方に立壁部6aを架設状態としても良い。
立壁部6a、6bを分断欠切することにより、分断箇所の下方に連結凹部７が位置するため、連結凸部８を連結凹部７に差し込んで２枚のデッキタイル１、1a…を連結する時の目安に立壁部6a、6bの分断箇所がなる。
【００１４】
かかる構成により、図５に示す様に、デッキタイル１、1a…の製作時において、立壁部６、6a…の内面をタイル２の側面との当接面（接着面）と成すと共に、立壁部６、6a…より内部の基板部５の上面（連結凹部７形成箇所を除く）は、タイル２の下面の接着面と成り、また連結凹部７内に配置される連結凸部８の上面はタイル２の下面の当接面となる。  又、後述する様に、一方のデッキタイル１、1a…の連結凹部７内に、他方のデッキタイル１、1a…の連結凸部８が差し込まれて係合状態となる。
【００１５】
次に本発明に係るデッキタイルの構成および連結施工方法について説明する。
図５に示す様に、タイル２の２辺の側面下方に敷設材３、3a…の立壁部６、6a…の内面を当接し、タイル２の下面に基板部５の上面を当接する状態で、図１、２に示す様に、タイル２の四隅下面に敷設材３、3a…を接着すると共に、タイル２の裏面所要箇所に補助敷設材４、4a…を接着して、デッキタイル１を製作する。
そして、図５、６に示す様に、敷設材３、3a…および補助敷設材４、4a…の下面を床面ＦＬに接地させて、床面ＦＬ上にデッキタイル１、1a…を敷設する。
【００１６】
この状態では、図１に示す様に、タイル２の４辺における両隅部各１ヶ所で、４辺の側縁から外側に立壁部６、6a…（長寸１ヶまたは分断された短寸２ヶ）が突出した状態となる。
又、一方の立壁部６から連結凸部８が外側に突出すると共に、他方では分断された立壁部6a、6bの中間部でタイル２の下方で床面ＦＬとの間に連結凹部７が位置している。
【００１７】
図６に示す様に、床面ＦＬ上に敷設されたデッキタイル１に対して、次に敷設するデッキタイル1aを敷設する時には、床面ＦＬと多少の間隔を有すると共に、多少傾斜させて次敷設のデッキタイル1aを敷設済のデッキタイル１に略水平方向に接近させ、次敷設のデッキタイル1aの突出した連結凸部８を敷設済のデッキタイル１の下方の連結凹部７に略水平方向に差し込みながら床面ＦＬに接地させ、２枚のデッキタイル１、1aの連結凹凸部７、８を係合する（図５参照）。
敷設済のデッキタイル１が２方向に存在する空隅部に次敷設のデッキタイル1aを敷設する時には、上記要領で１辺の連結凸部８を連結凹部７に差し込んで接地させる時に、他辺の連結凹部７は他の敷設済のデッキタイル１の連結凸部８に上方から落とし込む様に係合させる。
この施工を２方向に順次、実施し、所望箇所（バルコニーの全面等）に複数のデッキタイル１、1a…を連結施工する（図４、７参照）。
【００１８】
次に本発明に係る複数のデッキタイルによる床構造および作用について説明する。
上記施工による床構造を図４に示しており、多数のデッキタイル１、1a…が敷設施工された状態で、隣接する４枚のデッキタイル１、1a…の四隅に設けた４個の敷設材３、3a…の夫々は、２方向で隣接する敷設材３、3a…と連結凹凸部７、８で係合関係を有し、個々のデッキタイル１、1a…は水平方向（２方向）への移動が不可能となっている。
又、図４、５に示す様に、隣接するデッキタイル１、1a…同志では、デッキタイル１、1a…の側縁から突出した立壁部６、6a…同志が当接し、隣接するデッキタイル１、1a…同志の間に２枚の立壁部６、6a…に相当する間隔分で一定幅の均一な目地間隙Ｈが形成されている。
この目地間隙Ｈは雨水の通過流路となると共に、デッキタイル１、1a…の下方は敷設材３、3a…および補助敷設材４、4a…が点在するだけで、雨水が排水可能となっている。
【００１９】
次に、各種形態の敷設箇所、各種大きさのタイルへの適応性および複数種類タイルの併用について説明する。
デッキタイル１、1a…の敷設箇所（バルコニー等）は大きさ、形状が様々で、矩形状でなかったり、障害物があって端部の半端スペースが発生するので、例えば、３００角の大判タイルのデッキタイル１、1a…だけで施工できなかったり、趣向として各種パターンを設定する時に、異サイズの大判タイルと小判タイル（例えば、３００×１００や１００角のタイル）のデッキタイル１、1a…を組み合わせる例を説明する。
先ず、本発明に係る敷設材３、3a…はタイル２の四隅部に設けるものであるから、基本的に、如何なる大きさ、形状（正方形、長方形）のタイル２にも敷設材３、3a…を取付てデッキタイル１、1a…を製作可能であり、小判タイルのデッキタイル１、1a…同志の接合は大判タイルのデッキタイル１、1a…同志の接合と同様である。
【００２０】
図７に示す様に、大判タイルと小判タイルのデッキタイル１、1a…の組み合わせ敷設時には、大判タイルのデッキタイル１と小判タイルのデッキタイル1a、1cの隅部同志の接合（図中Ａ部など）では、大判タイルのデッキタイル１、1a…同志の接合（図中Ｂ部、図４）の時と同様に敷設材３、3a…同志を係合させて敷設施工する。
又、大判タイル等のデッキタイル１、1aの辺部と小判タイルのデッキタイル1b、1cの隅部の接合（図中Ｃ部）では、小判タイルのデッキタイル1b、1cから突出した敷設材３、3a…の連結凸部８が大判タイル等のデッキタイル１、1aの辺部の下方に入り込み、小判タイルのデッキタイル1b、1cの敷設状態が安定する。
尚、２方向（全体的には３方向で係合関係で２方向）にデッキタイル１、1a…が敷設された空隅部（図中Ｄ部）にも、タイル２を有しない敷設材３、3a…を単独で設けた方が全体的な安定性が向上する。
【図面の簡単な説明】
【００２１】
【図１】本発明に係るデッキタイルの平面図である。
【図２】図１の裏面図である。
【図３】敷設材の６面図である。
【図４】隣接するデッキタイルの連結状態を示す図である。
【図５】図４のＡ−Ａ断面図および連結箇所の要部拡大断面図である。
【図６】２枚のデッキタイルの連結施工状態を示す要部断面図である。
【図７】大判、小判タイルを組み合わせた時の複数のデッキタイルの連結状態を示す図である。
【符号の説明】
【００２２】
１、1a…  デッキタイル
２        タイル
３、3a…  敷設材
５        基板部
６、6a…  立壁部
７        連結凹部
８        連結凸部
【図１】
2007169994.tif 000003
【図２】
2007169994.tif 000004
【図３】
2007169994.tif 000005
【図４】
2007169994.tif 000006
【図５】
2007169994.tif 000007
【図６】
2007169994.tif 000008
【図７】
2007169994.tif 000009